(57)【要約】【課題】流入口から内部に浸入した水をガスの流量計測に影響を与えることなく貯留できると共に、水の貯留量を容易に大きくすることができるガスメーターを提供する。【解決手段】流入口から流出口に至るガスの流路として正面視略Ｕ字状の筒状に形成された流路部材と、流入口からガスが流れ込む流入路の流れ方向に対して略直角方向に設けられた流路内に配置されて、ガスの流量を計測する計測流路が内部に形成された筒状の計測管と、流路部材の下側に取り付けられて、水を所定量貯留可能な貯水タンクと、を備え、流路部材は、流入口からガスが流れ込む流入路の奥側端部に設けられて、計測管のガスが流入する入口側が内側に突出して、ガスが計測管の入口部に流入するように略箱体状に区画された入口バッファ部と、入口バッファ部の底面部から貯水タンクに連通するように形成されて、入口バッファ部に浸入した水を貯水タンクに案内する導水孔と、有している。【選択図】図３
2019164034.tif 000002
【特許請求の範囲】
【請求項１】
流入口から流出口に至るガスの流路として正面視略Ｕ字状の筒状に形成された流路部材と、
前記流入口からガスが流れ込む流入路の流れ方向に対して略直角方向に設けられた流路内に配置されて、前記流路部材内を通過するガスの流量を計測する計測流路が内部に形成された筒状の計測管と、
前記流路部材の下側に取り付けられて、水を所定量貯留可能な貯水タンクと、
を備え、
前記流路部材は、
前記流入口からガスが流れ込む流入路の奥側端部に設けられて、前記計測管のガスが流入する入口側が所定長さ内側に突出して、ガスが前記計測管の入口部に流入するように略箱体状に区画された入口バッファ部と、
前記入口バッファ部の底面部から前記貯水タンクに連通するように形成されて、前記入口バッファ部に浸入した水を前記貯水タンクに案内する導水孔と、
有する、
ガスメーター。
【請求項２】
請求項１に記載のガスメーターにおいて、
前記入口バッファ部は、前記計測管が内側に突出する突出側壁部を有し、
前記導水孔は、前記突出側壁部の前記入口バッファ部側の下端縁部近傍に形成されている、
ガスメーター。
【請求項３】
請求項２に記載のガスメーターにおいて、
前記導水孔は、前記計測管の前記入口バッファ部の底面部への投影面よりも、前記突出側壁部の前記入口バッファ部側の下端縁部に沿って両外側へ突出するように開口されている、
ガスメーター。
【請求項４】
請求項１乃至請求項３のいずれか一項に記載のガスメーターにおいて、
前記導水孔は、平面視略細長矩形状に開口されている、
ガスメーター。
【請求項５】
請求項１乃至請求項４のいずれか一項に記載のガスメーターにおいて、
前記貯水タンクは、
水の貯留量が異なる複数種類の貯水タンクから一の貯水タンクが選択されて、
前記流路部材の下側に着脱可能に取り付けられる、
ガスメーター。
【発明の詳細な説明】
【技術分野】
【０００１】
本発明は、超音波を伝搬させてガスの流量を計測するガスメーターに関する。
【背景技術】
【０００２】
超音波を伝搬させてガスの流量を計測するガスメーターに関する技術が種々提案されている。例えば、下記特許文献１に記載されたガスメーターでは、メータボディの略中央位置にゴムパッキンと台形形状の貯水用蓋とによって密閉される貯水部が設けられている。また、ガス遮断弁が取り付けられる円柱状部の下部から貯水部へ貫通する導水孔が形成され、ガス流入口から浸入した水が円柱状部に落ちると、導水孔を通って、貯水部に流れ落ちる。この貯水部は、例えば、５０ｃｃの容積に形成され、ガス流入口から５０ｃｃの水が浸入するまで、ガス流量を正常に計測できるように構成されている。
【先行技術文献】
【特許文献】
【０００３】
【特許文献１】特開２０１４−２４０８４４号公報
【発明の概要】
【発明が解決しようとする課題】
【０００４】
しかしながら、前記特許文献１に記載されたガスメーターでは、ガス管が水道管の下に配置されている場合には、水のミストがガス管に入り、ガスメーター内の貯留部の容積を超える水が浸入し、ガスの供給が比較的短期間毎に遮断される虞がある。また、地中においてガス管に近接配置されている水道管の漏水によるサンドブラスト現象によってガス管の管壁に損傷が発生し、水道水がガス管の内部に浸入した場合には、ガスメーター内の貯留部の容積を超える水が短時間で流入し、ガスの供給が遮断される虞がある。
【０００５】
また、冬季等の場合、地中のガス管を流れる比較的暖かいガスに含まれる水分が、地上のガスメーターの部分で冷却されることで、ガス管内に結露が発生する。そして、当該結露が水等となってガスメーター内の貯留部に流入した場合には、ガスメーター内の貯留部の容積を超える水が短時間で浸入し、ガスの供給が遮断される虞がある。
【０００６】
そこで、本発明は、このような点に鑑みて創案されたものであり、流入口から内部に浸入した水をガスの流量計測に影響を与えることなく貯留できると共に、水の貯留量を容易に大きくすることができるガスメーターを提供することを課題とする。
【課題を解決するための手段】
【０００７】
上記課題を解決するため、本発明の第１の発明は、流入口から流出口に至るガスの流路として正面視略Ｕ字状の筒状に形成された流路部材と、前記流入口からガスが流れ込む流入路の流れ方向に対して略直角方向に設けられた流路内に配置されて、前記流路部材内を通過するガスの流量を計測する計測流路が内部に形成された筒状の計測管と、前記流路部材の下側に取り付けられて、水を所定量貯留可能な貯水タンクと、を備え、前記流路部材は、前記流入口からガスが流れ込む流入路の奥側端部に設けられて、前記計測管のガスが流入する入口側が所定長さ内側に突出して、ガスが前記計測管の入口部に流入するように略箱体状に区画された入口バッファ部と、前記入口バッファ部の底面部から前記貯水タンクに連通するように形成されて、前記入口バッファ部に浸入した水を前記貯水タンクに案内する導水孔と、有する、ガスメーターである。
【０００８】
尚、ガスは、都市ガス、ＬＰガス等を含む。
【０００９】
次に、本発明の第２の発明は、上記第１の発明に係るガスメーターにおいて、前記入口バッファ部は、前記計測管が内側に突出する突出側壁部を有し、前記導水孔は、前記突出側壁部の前記入口バッファ部側の下端縁部近傍に形成されている、ガスメーターである。
【００１０】
次に、本発明の第３の発明は、上記第２の発明に係るガスメーターにおいて、前記導水孔は、前記計測管の前記入口バッファ部の底面部への投影面よりも、前記突出側壁部の前記入口バッファ部側の下端縁部に沿って両外側へ突出するように開口されている、ガスメーターである。
【００１１】
次に、本発明の第４の発明は、上記第１の発明乃至上記第３の発明のいずれかに係るガスメーターにおいて、前記導水孔は、平面視略細長矩形状に開口されている、ガスメーターである。
【００１２】
次に、本発明の第５の発明は、上記第１の発明乃至上記第４の発明のいずれかに係るガスメーターにおいて、前記貯水タンクは、水の貯留量が異なる複数種類の貯水タンクから一の貯水タンクが選択されて、前記流路部材の下側に着脱可能に取り付けられる、ガスメーターである。
【発明の効果】
【００１３】
第１の発明によれば、流入口からガスが流れ込む流入路の奥側端部に設けられた略箱体状に区画された入口バッファ部の底面部に、貯水タンクに連通する導水孔が形成されているため、流入口から内部に浸入した水をガスの流量計測に影響を与えることなく貯水タンクに貯留できる。また、正面視略Ｕ字状の筒状に形成された流路部材の下側に、水を所定量貯留可能な貯水タンクが取り付けられるため、貯水タンクを大きくすることによって水の貯留量を容易に大きくすることができる。
【００１４】
第２の発明によれば、導水孔は、入口バッファ部の底面部のうち、計測管が内側に突出する突出側壁部の入口バッファ部側の下端縁部近傍に形成されているため、入口バッファ部内のガスの流れに影響を与えず、浸入した水を貯水タンクに案内することができる。
【００１５】
第３の発明によれば、導水孔は、計測管の入口バッファ部の底面部への投影面よりも、突出側壁部の入口バッファ部側の下端縁部に沿って両外側へ突出するように開口されている。これにより、入口バッファ部内のガスの流れに影響を与えず、導水孔を大きくすることができ、入口バッファ部に浸入した水を迅速に貯水タンクに流すことができる。
【００１６】
第４の発明によれば、導水孔は、平面視略細長矩形状に開口されているため、入口バッファ部内のガスの流れに対する影響を小さくすることができ、流入口から内部に浸入した水をガスの流量計測に影響を与えることなく貯水タンクに案内できる。
【００１７】
第５の発明によれば、水の貯留量が異なる複数種類の貯水タンクから所望の貯水タンクを選択して、正面視略Ｕ字状の筒状に形成された流路部材の下側に取り付けることが可能となり、ガスメーターの使用される環境に合わせて貯水タンクの貯留量を変更することが可能となる。
【図面の簡単な説明】
【００１８】
【図１】本実施形態に係るガスメーターの概略外観の一例を示す正面図である。
【図２】図１に示すガスメーターの上面図である。
【図３】図１に示すガスメーターの分解斜視図である。
【図４】図２におけるＩＶ−ＩＶ矢視断面図である。
【図５】図４におけるＶ−Ｖ矢視断面図である。
【図６】図４におけるＶＩ−ＶＩ矢視断面図である。
【図７】図４におけるＶＩＩ部の部分拡大図である。
【図８】タンク本体の部品番号と深さＨ１との組み合わせの一例を示すテーブルである。
【発明を実施するための形態】
【００１９】
以下、本発明に係るガスメーターについて具体化した一実施形態に基づき図面を参照しつつ詳細に説明する。図１〜図６において、Ｘ軸とＹ軸とＺ軸は互いに直交しており、Ｚ軸方向はガスメーター１における鉛直上方を示しており、Ｘ軸方向はガスメーター１における右方向を示しており、Ｙ軸方向はガスメーター１における奥行き方向を示している。
【００２０】
●［ガスメーター１の外観（図１、図２）］
図１及び図２を用いて、本実施の形態のガスメーター１の外観を説明する。図１はガスメーター１の正面図を示しており、図２はガスメーター１の上面図（平面図）を示している。図１及び図２に示すように、ガスメーター１の正面には、計測したガスの流量の積算値等を表示する表示装置４１（ＬＣＤ等）、異常検出によって遮断弁３４にてガスを遮断した状態からの復帰を行う復帰ボタン４２等が設けられている。尚、ガスは、例えば、都市ガス、ＬＰガス等である。
【００２１】
ガスメーター１は、略直方体形状の箱状であり、ガスを供給する不図示の配管に気密に接続されてガスが流入するガス流入口（流入口）１１と、ガスが流出するガス流出口（流出口）１２とが、上面の長手方向の両端部に配置されて、筒状の正面視略Ｕ字状の流路（図４参照）を備えた流路部材１０が、一体成形品で形成されている。当該流路部材１０は、ガスメーター１の外観において、上面と右側面と左側面と背面とを有している。そして、流路部材１０の正面側に正面パネル部材４０が取り付けられている。また、ガスメーター１の下方には、ガスメーター１内に浸入した水等の液体を溜めるタンクユニット６０が取り付けられている。
【００２２】
●［ガスメーター１の構造（図３〜図８）］
次に、図３〜図８を用いてガスメーター１の構造について説明する。図３はガスメーター１の分解斜視図を示している。また、図４は図２におけるＩＶ−ＩＶ矢視断面図（電源パック３２等は省略）の例を示しており、図５は図４におけるＶ−Ｖ矢視断面図の例を示しており、図６は図４におけるＶＩ−ＶＩ矢視断面図の例を示している。図７は図４におけるＶＩＩ部の部分拡大図の例を示している。図８はタンク本体６３の部品番号と深さＨ１との組み合わせの一例を示している。
【００２３】
図３に示すように、ガスメーター１は、流路部材１０、正面パネル部材４０、制御基板３３、電源パック３２、圧力センサ３１、超音波素子２３Ａ、２３Ｂ、遮断弁３４、計測管２２、タンク上部６２、タンク本体（貯水タンク）６３、タンクカバー６４等を有している。
【００２４】
流路部材１０は、例えばアルミダイカストにて一体成形されており、図４に示すように、ガス流入口１１、ガス導入流路１０Ａ、入口バッファ部１０Ｂ、計測管配置流路１０Ｃ、出口バッファ部１０Ｄ、ガス導出流路１０Ｅ、ガス流出口１２等を有し、略Ｕ字状の筒状に形成されたガス流路を形成している。そして略Ｕ字状の底辺部となる計測管配置流路１０Ｃの下方は、計測管２２を取り付けるために下方に開口されている。また流路部材１０の中央周辺には、制御基板３３や電源パック３２等を収容するための前方側に開放された空間部Ｋが形成されている。また流路部材１０には、圧力センサ３１が取り付けられる取付部（図示省略）、遮断弁３４が取り付けられる取付部（図示省略）等が形成されている。
【００２５】
ガスが流入するガス流入口１１と、流量が計測されたガスが流出されるガス流出口１２は、流路部材１０の上方に設けられている。ガス導入流路１０Ａは、ガス流入口１１から計測管２２の流入口へとガスを導くように下方に向かって延びるように形成された流路である。また、計測管２２は、例えば、樹脂等にて形成されて断面略矩形の筒状形状を有しており、上面が開口して左右方向に長い略横長箱体状のタンク上部６２内に嵌入された状態で、ガス導入流路１０Ａに対して略直角右方向に設けられた下方に開放された断面コの字に形成された溝状の計測管配置流路１０Ｃ内に下方から挿入される。タンク上部６２は、長手方向中央部分が所定長さに渡って、計測管２２を嵌入可能な幅狭に形成されると共に、この幅狭に形成された相対向する側面部に、各超音波素子２３Ａ、２３Ｂが取り付けられる一対の取付孔１０Ｇが形成されている（図３参照）。
【００２６】
続いて、計測管２２を計測管配置流路１０Ｃ内に配置するため、タンク上部６２の底面中央部に長手方向に沿って上方に突出する凸部６２Ａで挟むように、流路部材１０の下端部にタンク上部６２がネジ止め等により取り付けられる。続いて、上面が開口した左右方向に長い水平断面横長矩形の箱状のタンク本体６３が、タンク上部６２の下側にネジ止め等により取り付けられ、当該タンク上部６２と一体化されてタンク部６１を構成する。これにより、当該流路部材１０における下方の開口部が、タンク上部６２及びタンク本体６３によって構成されるタンク部６１によって密閉され、計測管２２が、ガス導入流路１０Ａに対して略直角右方向に設けられた計測管配置流路１０Ｃ内に配置される。
【００２７】
また、図４〜図６に示すように、ガス導入流路１０Ａの下方側端部、つまり、奥側端部には、タンク上部６２の凸部６２Ａの左端面よりも左側を底面部６２Ｍとする略箱体状に区画された入口バッファ部１０Ｂが構成される。また、計測管２２の入口側が、入口バッファ部１０Ｂを構成する右側壁部（突出側壁部）１０Ｆから所定長さ、例えば、入口バッファ部１０Ｂ内の略中央部まで内側に突出して、入口バッファ部１０Ｂ内のガスが計測管２２の入口部２２Ａに流入する。また、ガス導入流路１０Ａの下方側端部には、ガス導入流路１０Ａの下方側端部と入口バッファ部１０Ｂとを連通する連通孔１０Ｈが、遮断弁３４によって開閉可能に設けられている。尚、通常時は、連通孔１０Ｈは、開放されている。
【００２８】
また、入口バッファ部１０Ｂの底面部６２Ｍには、右側壁部１０Ｆの入口バッファ部１０Ｂ側の下端縁部近傍に、この右側壁部１０Ｆの下端縁部に沿って、前後方向に長い平面視略細長矩形状の導水孔７１が上下方向に貫通して形成されている。従って、入口バッファ部１０Ｂの底面部６２Ｍとタンク本体６３は、導水孔７１を介して連通されており、入口バッファ部１０Ｂに浸入した水は、導水孔７１を介してタンク本体６３内に流れて、貯留される。尚、入口バッファ部１０Ｂの底面部６２Ｍの上端面は、右側壁部１０Ｆに向かって斜め下方向に少し傾斜するように形成されてもよい。これにより、入口バッファ部１０Ｂに浸入した水をスムーズに導水孔７１へ案内して、タンク本体６３内へ流すことができる。
【００２９】
図５に示すように、平面視細長矩形状の導水孔７１は、入口バッファ部１０Ｂの右側壁部１０Ｆから突出する計測管２２の底面部６２Ｍへの投影面よりも、右側壁部１０Ｆの入口バッファ部１０Ｂ側の下端縁部に沿って前後方向両外側へ突出するように開口されている。つまり、図５中、導水孔７１は、長手方向の長さが計測管２２の前後方向の幅よりも長くなるように形成されている。また、図６及び図７に示すように、平面視略細長矩形状の導水孔７１の内周面７１Ａは、全周に渡って底面部６２Ｍに対して略垂直になるように形成されている。これにより、入口バッファ部１０Ｂに浸入した水を導水孔７１からタンク本体６３内へスムーズに流すことができると共に、タンク本体６３内の水が凍った際に、入口バッファ部１０Ｂ側へスムーズに膨出させることができる。
【００３０】
また、図４及び図５に示すように、ガス導出流路１０Ｅの下方側端部に、つまり、奥側端部には、タンク上部６２の凸部６２Ａの右端面よりも右側を底面部６２Ｎとする略箱体状に区画された出口バッファ部１０Ｄが構成される。この出口バッファ部１０Ｄは、入口バッファ部１０Ｂに対してほぼ左右対称な形状に形成されている。また、計測管２２の出口側が、出口バッファ部１０Ｄを構成する左側壁部１０Ｊから所定長さ、例えば、出口バッファ部１０Ｄ内の略中央部まで内側に突出している。従って、入口バッファ部１０Ｂ、計測管配置流路１０Ｃ及び出口バッファ部１０Ｄは、それぞれ内部がタンク上部６２及びタンク本体６３によって構成されるタンク部６１によって密閉されるように構成される。
【００３１】
正面パネル部材４０は、例えば、樹脂等にて形成されて、図１に示すように表示装置４１（ＬＣＤ等）や復帰ボタン４２等が設けられたパネル状の部材である。
【００３２】
電源パック３２は、制御基板３３、圧力センサ３１、超音波素子２３Ａ、２３Ｂ、遮断弁３４、表示装置４１等へ電力を供給する電池を収容している。
【００３３】
計測管２２は、例えば、樹脂等にて形成されて断面略矩形の筒状形状を有しており、計測管配置流路１０Ｃ内に配置されることで、ガス流入口１１及びガス流出口１２よりも下方に配置されている。そして、図４及び図５に示すように、計測管２２は、ガスが通過する断面が略矩形（長方形状）に形成された計測流路２５を有している。この計測流路２５には、複数の整流板２４が配置されている。
【００３４】
そして、図５に示すように、各取付孔１０Ｇに取り付けられた一対の超音波素子２３Ａ、２３Ｂが、計測流路２５内における上流側と下流側の所定個所に配置される。一対の超音波素子２３Ａ、２３Ｂは、この２点間において、上流側から超音波を発信して下流側で受信して伝播時間が計測され、続いて、下流側から超音波を発信して上流側で受信して伝播時間が計測される。
【００３５】
そして、流体の流れ方向に対して一対の超音波素子２３Ａ、２３Ｂが設けられている傾斜角度を「θ」、音速を「Ｃ」、ガスの流速を「Ｕ」、超音波素子２３Ａと超音波素子２３Ｂの間隔（距離）を「Ｌ」、超音波の伝播時間を「Ｔ１」、「Ｔ２」とした場合、以下の（式１）よりガスの流速を求めることができる。そして、この算出した流速Ｕに計測流路２５の断面積（ガスの流れに直交する断面の面積）と流量係数とを積算して流量を算出している。ここで流量係数とは、流体の流量を補正する係数である。
Ｕ＝（Ｌ／２ｃｏｓθ）（（１／Ｔ１）−（１／Ｔ２））    （式１）
【００３６】
圧力センサ３１は、ガス導入流路１０Ａ、入口バッファ部１０Ｂ、出口バッファ部１０Ｄ、ガス導出流路１０Ｅ、のいずれかの流路内（または空間内）のガスの圧力に応じた検出信号を、制御基板３３に設けられたガスメーター１の全体を制御する制御回路部３３Ａに出力する。遮断弁３４は、制御基板３３の制御回路部３３Ａからの制御信号に基づいて、連通孔１０Ｈを開閉して、ガス導入流路１０Ａを開口状態または閉鎖状態にする。制御回路部３３Ａは、異常を検出した場合、遮断弁３４を用いてガス導入流路１０Ａを閉鎖状態にして、ガス流出口１２にガスが流れないようにする。
【００３７】
制御基板３３は、ＣＰＵ、ＲＡＭ、ＲＯＭ、タイマー等を有する制御回路部３３Ａが搭載された電子回路基板であり、電源パック３２、一対の超音波素子２３Ａ、２３Ｂ、圧力センサ３１、遮断弁３４、表示装置４１、復帰ボタン４２等が接続されている。制御回路部３３Ａは、上述したように、一対の超音波素子２３Ａ、２３Ｂを用いて、計測管２２内を流れるガスの流速を計測し、計測管２２内に流れるガスの流量を求める。また、制御回路部３３Ａは、圧力センサ３１からの検出信号に基づいて検出したガスの圧力等に基づいて、遮断弁３４の開閉制御を行う。
【００３８】
図４に示すように、タンク上部６２は、タンク本体６３と一体化されてタンク部６１を構成している。タンク上部６２とタンク本体６３は、例えばアルミダイカスト等の金属にて形成されている。タンク本体６３は、上面が開口した深さＨ１の箱状の部材であり、タンク上部６２は、タンク本体６３における開口した上面を塞ぐ部材である。上記の通り、タンク部６１は、流路部材１０における下方の開口部に取り付けられて、流路部材１０における下方の開口部を密閉する蓋となる。
【００３９】
また、タンク上部６２及びタンク本体６３の下方を覆うタンクカバー６４は、例えば、樹脂等にて形成され、上方が開口した箱状の部材である。尚、タンク上部６２とタンク本体６３にてタンク部６１が構成され、タンク部６１とタンクカバー６４にてタンクユニット６０が構成されている。
【００４０】
ここで、タンク本体６３は、深さＨ１が異なる、つまり、水の貯留量が異なる複数種類のタンク本体６３が予め用意されている。例えば、図８に示すように、部品番号が「Ｎ１」のタンク本体６３の深さＨ１は、３０ｍｍに形成されている。また、部品番号が「Ｎ２」のタンク本体６３の深さＨ１は、４５ｍｍに形成されている。尚、タンクカバー６４もタンク本体６３の深さＨ１に合わせて深さが異なる複数種類のタンクカバー６４が予め用意されている。これにより、ガスメーター１の使用される環境に合わせて所望の貯留量のタンク本体６３と、それに適したタンクカバー６４を選択して、ガスメーター１を製造することが可能となる。
【００４１】
以上詳細に説明した通り、本実施形態に係るガスメーター１では、ガス流入口１１からガスが流れ込むガス導入流路１０Ａの奥側端縁部に略箱体状に区画された入口バッファ部１０Ｂが構成されている。また、計測管２２の入口側が、入口バッファ部１０Ｂを構成する右側壁部（突出側壁部）１０Ｆから所定長さ、例えば、入口バッファ部１０Ｂ内の略中央部まで内側に突出している。また、入口バッファ部１０Ｂの底面部６２Ｍには、右側壁部１０Ｆの入口バッファ部１０Ｂ側の下端縁部近傍に、この右側壁部１０Ｆの下端縁部に沿って、前後方向に長い平面視略細長矩形状の導水孔７１が上下方向に貫通して形成されている。
【００４２】
これにより、ガス流入口１１から浸入した水は、下方に流れて入口バッファ部１０Ｂの底面部６２Ｍに形成された導水孔７１を介してタンク上部６２及びタンク本体６３で構成されるタンク部６１内に流れて、貯留することができる。従って、深さＨ１の大きいタンク本体６３をタンク上部６２の下側に取り付けることによって水の貯留量を容易に大きくすることができる。
【００４３】
また、平面視略細長矩形状の導水孔７１は、計測管２２の入口側が入口バッファ部１０Ｂ内に突出する右側壁部１０Ｆの下端縁部近傍に、この右側壁部１０Ｆの下端縁部に沿って形成されているため、入口バッファ部１０Ｂ内のガスの流れに影響を与えず、導水孔７１を介して浸入した水をタンク本体６３内に案内することができる。
【００４４】
また、平面視略細長矩形状の導水孔７１は、入口バッファ部１０Ｂの右側壁部１０Ｆから突出する計測管２２の底面部６２Ｍへの投影面よりも、右側壁部１０Ｆの入口バッファ部１０Ｂ側の下端縁部に沿って前後方向両外側へ突出するように開口されている。これにより、入口バッファ部１０Ｂ内のガスの流れに影響を与えず、導水孔７１を大きくすることができ、入口バッファ部１０Ｂに浸入した水を迅速にタンク本体６３内に流すことができる。
【００４５】
本発明のガスメーター１は、本実施の形態で説明した外観、構成、構造、形状、組み付け手順等に限定されず、本発明の要旨を変更しない範囲で種々の変更、追加、削除が可能である。例えばガスメーター１の組み付け手順は、本実施の形態にて説明した組み付け手順に限定されるものではない。
【００４６】
例えば、流路部材１０、タンク上部６２、タンク本体６３の材質は、アルミダイカストに限定されるものではなく、種々の金属を用いることができる。
【符号の説明】
【００４７】
１    ガスメーター
１０    流路部材
１０Ａ    ガス導入流路
１０Ｂ    入口バッファ部
１０Ｃ    計測管配置流路
１０Ｆ    右側壁部
１１    ガス流入口
１２    ガス流出口
２２    計測管
２２Ａ    入口部
２５    計測流路
６０    タンクユニット
６１    タンク部
６２    タンク上部
６２Ｍ    底面部
６３    タンク本体
７１    導水孔
【図１】
2019164034.tif 000003
【図２】
2019164034.tif 000004
【図３】
2019164034.tif 000005
【図４】
2019164034.tif 000006
【図５】
2019164034.tif 000007
【図６】
2019164034.tif 000008
【図７】
2019164034.tif 000009
【図８】
2019164034.tif 000010
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
流入口から流出口に至るガスの流路として正面視略Ｕ字状の筒状に形成された流路部材と、
前記流入口からガスが流れ込む流入路の流れ方向に対して略直角方向に設けられた流路内に配置されて、前記流路部材内を通過するガスの流量を計測する計測流路が内部に形成された筒状の計測管と、
前記流路部材の下側に取り付けられて、水を所定量貯留可能な貯水タンクと、
を備え、
前記流路部材は、
前記流入口からガスが流れ込む流入路の奥側端部に設けられて、前記計測管のガスが流入する入口側が所定長さ内側に突出して、ガスが前記計測管の入口部に流入するように略箱体状に区画された入口バッファ部と、
前記入口バッファ部の底面部から前記貯水タンクに連通するように形成されて、前記入口バッファ部に浸入した水を前記貯水タンクに案内する導水孔と、
有し、
前記入口バッファ部は、前記計測管が内側に突出する突出側壁部を有し、
前記導水孔は、前記突出側壁部の前記入口バッファ部側の下端縁部近傍に形成されて、前記計測管の前記入口バッファ部の底面部への投影面よりも、前記突出側壁部の前記入口バッファ部側の下端縁部に沿って両外側へ突出するように開口されている、
ガスメーター。
【請求項２】
請求項１に記載のガスメーターにおいて、
前記導水孔は、平面視略細長矩形状に開口されている、
ガスメーター。
【請求項３】
請求項１又は請求項２に記載のガスメーターにおいて、
前記貯水タンクは、
水の貯留量が異なる複数種類の貯水タンクから一の貯水タンクが選択されて、
前記流路部材の下側に着脱可能に取り付けられる、
ガスメーター。